(57)【特許請求の範囲】
【請求項１】
キャッシュカードの所有者によって開設されている口座に対して取引処理を実行する自動預金支払装置であって、
前記キャッシュカードの読み書きを行う読み書き手段と、
ネットワークを介してデータベース装置と通信するための通信制御手段と、
前記所有者によって開設されている口座の口座情報を入力するための画面を表示手段に表示し、前記画面において入力された口座情報を記憶可能な記憶容量が前記キャッシュカードにあれば、該口座情報を前記キャッシュカードに記憶させる処理を前記読み書き手段に実行させ、前記画面にて入力された口座情報を記憶可能な記憶容量が前記キャッシュカードになければ、該口座情報を前記データベース装置に記憶させる処理を前記通信制御手段に実行させる口座登録制御手段と、
前記キャッシュカードおよび前記データベース装置に記憶されている口座情報を選択するための画面を表示手段に表示し、前記画面において選択された口座情報が前記キャッシュカードに記憶されていれば、該口座情報を前記キャッシュカードから削除する処理を前記読み書き手段に実行させ、前記画面において選択された口座情報が前記データベース装置に記憶されていれば、該口座情報を前記データベース装置から削除する処理を前記通信制御手段に実行させる口座削除制御手段と、
前記キャッシュカードおよび前記データベース装置に記憶されている口座情報のいずれか１つを選択するための画面を表示手段に表示し、前記画面において選択された口座情報に基づいて取引処理を実行する取引業務制御手段と
を備えることを特徴とする自動預金支払装置。
【請求項２】
前記口座登録制御手段は、口座情報に含まれる暗証番号とは別個の複数講座用暗証番号を入力するための画面を表示手段に表示し、前記画面において入力された前記複数講座用暗証番号を前記キャッシュカードに記憶させる処理を前記読み書き手段に実行させ、
前記取引業務制御手段は、前記複数講座用暗証番号を入力するための画面を表示手段に表示し、前記画面にて入力された複数講座用暗証番号と、前記キャッシュカードに記憶されている複数講座用暗証番号とが一致した場合に取引処理を実行することを特徴とする請求項１に記載の自動預金支払装置。
【発明の詳細な説明】
【０００１】
【技術分野】
本発明は、顧客が開設している複数の口座における取引を一枚のキャッシュカードで取引可能にするための自動預金支払装置に関するものであり、特に、複数口座の登録／削除機能を備える自動預金支払装置に関するものである。
【０００２】
【背景技術】
昨今においては、金融機関の統合が盛んに行われており、これを受けて、金融機関における顧客に対するサービス向上が以前にも増して重要視されている。このような背景より、金融機関においては、顧客が取り引きに用いるキャッシュカードの利便性を追求する動きにある。
【０００３】
現在、銀行等の金融機関においては、同一顧客が金融機関で複数の口座を開設し、用途に応じて口座を使い分けているケースがある。この場合、顧客は、口座毎に付与された複数のキャッシュカードを常時携帯し、複数のキャッシュカードを口座毎に使い分けて、金融機関に設置された自動預金支払装置に当該キャッシュカードを挿入することで、入出金、振り込み等の取引を行っている。
【０００４】
ところで、従来においては、複数口座を開設している顧客は、口座数分のキャッシュカードを常時携帯しなければならず、しかも一度に複数口座に関する取り引きを行う場合、複数のキャッシュカードの中から当該キャッシュカードを選択し、このキャッシュカードを用いて取り引きを行うといった一連の作業を複数回繰り返す必要があるため、利便性に乏しいという問題があった。
【０００５】
このような問題を解決すべく、特開平７−２８９１８号公報には、複数口座の情報が登録された１枚の磁気カード（キャッシュカード）を用いて、金融機関における取り引きを行う技術が開示されている。しかしながら、同公報に開示された技術は、予め複数の口座情報が登録された１枚の磁気カードを用いた場合の取り引きに終始しており、顧客側のオペレーションにより複数の口座情報の登録／削除を自由に行うことができない。したがって、同公報に開示された技術は、顧客の自由意志に基づいて、複数の口座情報をキャッシュカードに登録でき、さらに登録された複数の口座情報を削除できるといったさらなる利便性を実現するものではない。
【０００６】
本発明は、上記に鑑みてなされたもので、顧客側において、１枚のキャッシュカードに対して複数の口座情報の登録／削除を行うことができ、利便性を高めることができる自動預金支払装置を提供することを目的としている。
【０００７】
【発明の開示】
上記目的を達成するために、本発明は、キャッシュカードの所有者によって開設されている口座に対して取引処理を実行する自動預金支払装置であって、前記キャッシュカードの読み書きを行う読み書き手段（後述する一実施の形態の磁気カード用リード／ライト制御部１０１ＤおよびＩＣカード用リード／ライト制御部１０１Ｅに相当）と、ネットワークを介してデータベース装置（後述する一実施の形態の記憶装置３００に相当）と通信するための通信制御手段（後述する一実施の形態の通信制御部１０２に相当）と、前記所有者によって開設されている口座の口座情報を入力するための画面を表示手段に表示し、前記画面において入力された口座情報を記憶可能な記憶容量が前記キャッシュカードにあれば、該口座情報を前記キャッシュカードに記憶させる処理を前記読み書き手段に実行させ、前記画面にて入力された口座情報を記憶可能な記憶容量が前記キャッシュカードになければ、該口座情報を前記データベース装置に記憶させる処理を前記通信制御手段に実行させる口座登録制御手段（後述する一実施の形態の同一金融機関口座登録制御部１０１Ａおよび他金融機関口座登録制御部１０１Ｂに相当）と、前記キャッシュカードおよび前記データベース装置に記憶されている口座情報のいずれか１つを選択するための画面を表示手段に表示し、前記画面において選択された口座情報に基づいて取引処理を実行する取引業務制御手段（後述する一実施の形態の取引業務制御部１０１に相当）とを備えることを特徴とする。
【０００８】
本発明によれば、顧客により、メニュー画面より登録すべき複数の口座情報が入力されると、登録制御手段は、１枚のキャッシュカードに対して上記複数の口座情報を登録する。そして、顧客は、登録済みの１枚のキャッシュカードを用いて、取引手段を介して複数口座に関する取り引きを行う。
【０００９】
このように本発明によれば、顧客側において、同一の金融機関であるか否かを問わずに、１枚のキャッシュカードに対して登録すべき複数の口座情報を登録できるようにしたので利便性が向上する。
【００１０】
また、本発明によれば、容量不足により口座情報をキャッシュカードに追加登録できない場合は、口座情報をネットワーク接続されたデータベース装置に登録することとしたので、登録すべき口座情報が少ない場合は、キャッシュカードに記憶された口座情報に基づく迅速な取り引きを可能にしつつ、登録すべき口座情報が多い場合にも１枚のキャッシュカードで全ての口座に関する取り引きを行うことが可能になっている。
【００１１】
また、本発明は、上記の自動預金支払装置において、前記キャッシュカードおよび前記データベース装置に記憶されている口座情報を選択するための画面を表示手段に表示し、前記画面において選択された口座情報が前記キャッシュカードに記憶されていれば、該口座情報を前記キャッシュカードから削除する処理を前記読み書き手段に実行させ、前記画面において選択された口座情報が前記データベース装置に記憶されていれば、該口座情報を前記データベース装置から削除する処理を前記通信制御手段に実行させる口座削除制御手段（後述する一実施の形態の口座削除制御部１０１Ｃに相当）を備えることを特徴とする。
【００１２】
本発明によれば、顧客により、メニュー画面より削除すべき口座情報が入力されると、削除制御手段は、１枚のキャッシュカードもしくはデータベース装置に登録された複数の口座情報のなかから上記顧客により指定された口座情報を削除する。このように本発明によれば、削除制御手段を設けたことにより、顧客側において登録に加えて、口座情報の削除も行えるため、さらに利便性が向上する。
【００１３】
また、本発明は、上記の自動預金支払装置において、前記口座登録制御手段は、口座情報に含まれる暗証番号とは別個の複数講座用暗証番号を入力するための画面を表示手段に表示し、前記画面において入力された前記複数講座用暗証番号を前記キャッシュカードに記憶させる処理を前記読み書き手段に実行させ、前記取引業務制御手段は、前記複数講座用暗証番号を入力するための画面を表示手段に表示し、前記画面にて入力された複数講座用暗証番号と、前記キャッシュカードに記憶されている複数講座用暗証番号とが一致した場合に取引処理を実行することを特徴とする。
【００１４】
本発明によれば、個々の口座情報に含まれる暗証番号とは別個の複数口座用暗証番号をキャッシュカードに登録し、この複数口座用暗証番号に基づいて認証を行った後に通常の取り引きを行うようにしたので、セキュリティが向上する。
【００１５】
【発明を実施するための最良の形態】
以下、図面を参照して本発明にかかる自動預金支払装置の一実施の形態について詳細に説明する。
【００１６】
第１図は、本発明の一実施の形態による自動預金支払装置のシステム構成を示す図である。この図において、１００、１００、・・・は、一金融機関（たとえば、銀行）内にそれぞれ設置された自動預金支払装置であり、顧客が所持しているキャッシュカード（磁気カードまたはＩＣ（Integlated Circuit）カード）、通帳を介して、入出金、振り込み、残高照会等の取引を自動的に行う装置である。これら自動預金支払装置１００、１００、・・・は、一枚のキャッシュカードに同一金融機関（または他金融機関）における複数口座を登録する口座登録機能、および登録された複数口座を削除する口座削除機能をそれぞれ備えている。上記口座登録機能および口座削除機能の詳細については、後述する。
【００１７】
ＬＡＮ（Local Area Network）４００は、一金融機関内に敷設されており、複数の自動預金支払装置１００、１００、・・・をそれぞれ接続している。また、他金融機関においても、上述した自動預金支払装置１００、１００、・・・と同一構成の複数の自動預金支払装置（図示略）がＬＡＮ（図示略）を介してそれぞれ接続されている。ＷＡＮ（Wide Area Network）５００は、高速ディジタル回線、専用線等からなるネットワークであり、一金融機関に敷設されたＬＡＮ４００（他金融機関に敷設されたＬＡＮ（図示略））と、計算センタに敷設されたＬＡＮ６００とを接続している。このように、第１図においては、ＬＡＮ４００、ＷＡＮ５００およびＬＡＮ６００からなるＬＡＮ−ＷＡＮ−ＬＡＮ接続のネットワーク構成が図示されている。
【００１８】
上記計算センタは、上記ＬＡＮ−ＷＡＮ−ＬＡＮ接続のネットワークを介して、複数の金融機関における顧客情報等の管理業務を行う場所である。この計算センタにおいて、ホスト端末２００は、ＬＡＮ６００、ＷＡＮ５００およびＬＡＮ４００を介して、自動預金支払装置１００、１００、１００、・・・にアクセスされる端末であり、複数の金融機関における口座番号、口座種別、氏名、残高等に関する顧客情報を集中管理する。この顧客情報は、記憶装置３００に顧客情報データベースＤＢ（第２図参照）として記憶されており、ホスト端末２００は、顧客情報データベースＤＢを参照しつつ、顧客情報の集中管理を行う。
【００１９】
つぎに、上述した自動預金支払装置１００の構成について、第２図を参照しつつ詳細に説明する。第２図において、第１図の各部に対応する部分には同一の符号を付ける。ただし、第２図においては、複数の自動預金支払装置１００、１００、・・・のうち、一台の自動預金支払装置１００が図示されている。第２図に示す自動預金支払装置１００は、取引業務制御部１０１、通信制御部１０２、表示部１０３、タッチパネル１０４、磁気カード用リーダ／ライタ１０５およびＩＣカード用リーダ／ライタ１０６から構成されている。
【００２０】
ここで、自動預金支払装置１００においては、キャッシュカードとして磁気カード７００またはＩＣカード８００が用いられる。この磁気カード７００は、第３図に示すように、縦５４ｍｍ、横８６ｍｍ、厚さ０．７６ｍｍの大きさに成形されたプラスチック製のカード基板７０１に、磁気記録部としての磁気ストライプ７０２が形成されてなる。この磁気ストライプ７０２は、管理ヘッダ情報ＪＭ０の他に、マスター口座情報ＪＭ１、口座情報ＪＭ２、・・・という複数の口座情報の記録が可能とされている。すなわち、磁気カード７００は、複数の口座情報を記録する記録媒体であり、複数の口座情報には、同一金融機関において開設している口座に関する口座情報、他金融機関において開設している口座に関する口座情報が含まれる。
【００２１】
上記管理ヘッダ情報ＪＭ０は、磁気カード７００（磁気ストライプ７０２）に記録されている口座情報を管理するための情報である。具体的には、管理ヘッダ情報ＪＭ０において、「磁気ストライプ内登録可能口座数」の情報は、磁気ストライプ７０２において記録可能な口座情報の数を示す情報であり、例えば、「１０」口座である。この「磁気ストライプ内登録可能口座数」は、磁気ストライプ７０２の記録容量により決定される。「最終登録口座Ｎｏ．」は、磁気ストライプ７０２に記録されている複数の口座情報のうち、最終の登録口座情報の番号（たとえば、２）である。
【００２２】
「複数口座登録用暗証番号」は、複数の口座に関する取引が可能な磁気カード７００に対して設定される暗証番号であり、それぞれの口座に個別的に設定された暗証番号とは別に設定される。この「複数口座登録用暗証番号」は、磁気カード７００が１枚で複数口座に関する取引が可能であることから、第三者による不正使用時の損害が１口座１カードの場合に比して大きいことを考慮して、セキュリティを高める目的で設定される。すなわち、磁気ストライプ７０２（磁気カード７００）においては、複数の口座に共通な複数口座登録用暗証番号と、それぞれの口座に個別的に設定されている暗証番号という２種類が存在する。
【００２３】
マスター口座情報ＪＭ１は、磁気カード７００に本来記録される口座（以下、マスター口座という）に関する情報である。このマスター口座情報ＪＭ１において、「登録口座Ｎｏ．１」は、複数の口座情報のうちマスター口座情報を特定するための固有番号である。「ＩＤ（IDentifier)マーク」は、マスター口座情報の識別子である。「銀行承認マーク」は、当該マスター口座を開設している銀行（金融機関）の承認情報である。「暗証番号」は、当該マスター口座に設定されるたとえば４桁の数字からなる番号であり、通常、顧客とマスター口座を開設している金融機関のみが知り得る情報である。
【００２４】
「銀行コード」は、銀行名（金融機関名）を特定するためのコードであり、複数桁の数字である。「支店コード」は、当該銀行の支店を特定するためのコードであり、複数桁の数字である。「口座番号」は、当該マスター口座を特定するための番号であり、複数桁の数字である。「各行任意フィールド」は、金融機関により任意に設定される情報を記録するためのフィールドである。「予備フィールド」は、予備用に確保されたフィールドである。「有効性コード」は、当該マスター口座における取引の有効性を示すコードである。口座情報ＪＭ２も、上述したマスター口座情報ＪＭ１と同種の情報からなる。
【００２５】
ただし、口座情報ＪＭ２は、マスター口座以外の口座に関する情報であり、マスター口座と同一の金融機関（同一金融機関）に開設された口座に関する情報、または上記同一金融機関と異なる他の金融機関（他金融機関）に開設された口座に関する口座情報である。すなわち、磁気ストライプ７０２（磁気カード７００）においては、同一金融機関にそれぞれ開設された複数の口座に関する口座情報が記録される場合と、他金融機関にそれぞれ開設された複数の口座に関する口座情報が記録される場合とがある。
【００２６】
一方、第４図に示すＩＣカード８００は、縦５４ｍｍ、横８６ｍｍ、厚さ０．２〜３ｍｍの大きさに成形されたプラスチック製のカード基板８０１に、記録部としてのＩＣ８０２が実装されてなり、前述した磁気カード７００と同様にしてキャッシュカードとして用いられる。このＩＣ８０２は、メモリと、後述するＩＣカード用リーダ／ライタ１０６（第２図参照）に対するアクセス制御およびメモリに対するリード／ライト制御を行うＣＰＵ（Central Processing Unit）とを備えたワンチップマイクロプロセッサである。
【００２７】
上記ＩＣ８０２（ＩＣカード８００）は、前述した磁気ストライプ７０２（磁気カード７００）と同様にして、管理ヘッダ情報ＪＩ０の他に、マスター口座情報ＪＩ１、口座情報ＪＩ２、・・・という複数の口座情報の記録が可能とされており、複数の口座情報を記録する記録媒体である。なお、ＩＣカード８００におけるデータ構造（管理ヘッダ情報ＪＩ０、マスター口座情報ＪＩ１、口座情報ＪＩ２）については、前述した磁気カード７００（第３図参照）におけるデータ構造と同一である。
【００２８】
すなわち、第４図に示す管理ヘッダ情報ＪＩ０は、「ＩＣ内登録可能口座数」、「最終登録口座Ｎｏ．」、および「複数口座登録用暗証番号」からなる。ただし、「ＩＣ内登録可能口座数」は、ＩＣ８０２において記録可能な口座情報の数を示す情報であり、例えば、「２０」口座である。ここで、上記「ＩＣ内登録可能口座数」（＝２０）が、第３図に示す「磁気ストライプ内登録可能口座数」（＝１０）より多いのは、ＩＣ８０２の記録容量が、磁気ストライプ７０２の記録容量に比して大きいからである。
【００２９】
また、第４図に示すマスター口座情報ＪＩ１は、マスター口座情報ＪＭ１（第３図参照）と同様にして、「登録口座Ｎｏ．１」、「ＩＤマーク」、「銀行承認マーク」、「暗証番号」、「銀行コード」、「支店コード」、「口座番号」「各行任意フィールド」、「予備フィールド」および「有効性コード」というマスター口座に関する情報からなる。同様にして、第４図に示す口座情報ＪＩ２も、上述したマスター口座情報ＪＩ１と同種の情報からなる。ただし、口座情報ＪＩ２は、マスター口座以外の口座に関する情報である。
【００３０】
第２図に戻り、取引業務制御部１０１は、入出金、振り込み、残高照会といった、基本取引に関する制御の他に、前述した複数の口座情報を１枚のキャッシュカード（磁気カード７００またはＩＣカード８００）に登録する口座登録、および登録された複数の口座情報を削除する口座削除を制御する。具体的には、取引業務制御部１０１は、同一金融機関口座登録制御部１０１Ａ、他金融機関口座登録制御部１０１Ｂ、口座削除制御部１０１Ｃ、磁気カード用リード／ライト制御部１０１ＤおよびＩＣカード用リード／ライト制御部１０１Ｅを備えている。
【００３１】
取引業務制御部１０１において、同一金融機関口座登録制御部１０１Ａは、同一金融機関における複数の口座情報を１枚のキャッシュカード（磁気カード７００またはＩＣカード８００）に登録する際の画面表示制御等を行う。他金融機関口座登録制御部１０１Ｂは、他金融機関における複数の口座情報を１枚のキャッシュカード（磁気カード７００またはＩＣカード８００）に登録する際の画面表示制御等を行う。口座削除制御部１０１Ｃは、１枚のキャッシュカード（磁気カード７００またはＩＣカード８００）に登録された複数の口座情報のうち単数または複数の口座情報を削除する際の画面表示制御等を行う。
【００３２】
ここで、上述した画面表示制御の対象は、表示部１０３である。この表示部１０３は、ＣＲＴ（Catade-Ray Tube)やＬＣＤ（Liquid Crystal Display）であり、後述する取引初期画面Ａ（第７図参照）、登録方法選択画面Ｂ（第８図参照）等の各種オペレーション画面を取引形態に応じて表示する。顧客は、これらオペレーション画面にしたがって所望の取引を行う。また、表示部１０３の表面には、顧客の指により押下されることで電子ボタン（スイッチ）として機能するタッチパネル１０４が貼着されている。
【００３３】
磁気カード用リーダ／ライタ１０５は、磁気カード７００（磁気ストライプ７０２）に記録された情報をリードするリード機能、および磁気ストライプ７０２に対して情報をライトするライト機能を備えている。この磁気カード用リーダ／ライタ１０５には、磁気カード７００の挿入口（図示略）が設けられており、磁気カード用リーダ／ライタ１０５は、この挿入口に磁気カード７００が挿入されることで、磁気ストライプ７０２に対して磁気的に磁気ヘッド（図示略）を介してリード／ライトを行う。
【００３４】
ＩＣカード用リーダ／ライタ１０６は、磁気カード用リーダ／ライタ１０５と同様にして、ＩＣカード８００（ＩＣ８０２）に記録された情報をリードするリード機能、およびＩＣ８０２に対して情報をライトするライト機能を備えている。このＩＣカード用リーダ／ライタ１０６には、ＩＣ８０２の端子が接続されるコンタクト部（図示略）が備えられており、ＩＣカード用リーダ／ライタ１０６は、このコンタクト部に上記端子が接続されることで、ＩＣ８０２に対して電気的にリード／ライトを行う。
【００３５】
取引業務制御部１０１において、磁気カード用リード／ライト制御部１０１Ｄは、磁気カード用リーダ／ライタ１０５におけるリード／ライト動作を制御し、ＩＣカード用リード／ライト制御部１０１Ｅは、ＩＣカード用リーダ／ライタ１０６におけるリード／ライトを制御する。通信制御部１０２は、ＬＡＮ４００、ＷＡＮ５００およびＬＡＮ６００を介してホスト端末２００との間で、所定の通信プロトコルにしたがって、通信を行う。
【００３６】
記憶装置３００は、ホスト端末２００に接続されており、顧客情報データベースＤＢを記憶する。ここで、第５図を参照して、上記顧客情報データベースＤＢについて詳述する。この顧客情報データベースＤＢは、第１図に示すシステム構成を利用する顧客の口座に関する顧客情報（口座番号、口座種別、氏名、残高、複数口座取引有無等）がデータベース化されたものであり、複数の金融機関で共有化される。
【００３７】
具体的には、顧客情報データベースＤＢは、複数口座取引属性情報ＪＤ０の他に、マスター口座情報ＪＤ１、口座情報ＪＤ２、・・・という複数の口座情報の記録が可能とされている。すなわち、記憶装置３００は、複数の口座情報を記録する記録媒体であり、複数の口座情報には、同一金融機関において開設している口座に関する口座情報、他金融機関において開設している口座に関する口座情報が含まれる。
【００３８】
上記複数口座取引属性情報ＪＤ０は、複数口座取引における情報を管理するための情報である。なお、第５図においては、一顧客に関する複数口座取引属性情報ＪＤ０、マスター口座情報ＪＤ１、口座情報ＪＤ２、・・・が図示されているが、実際には顧客情報データベースＤＢは、複数の顧客に関する複数口座取引属性情報ＪＤ０、マスター口座情報ＪＤ１、口座情報ＪＤ２、・・・を含んでいる。
【００３９】
複数口座取引属性情報ＪＤ０において、「記録媒体情報」は、当該顧客が使用する記録媒体（キャッシュカード）の種別を示す情報である。すなわち、一実施の形態においては、前述したようにキャッシュカードとして、磁気カード７００またはＩＣカード８００が使用されるため、「記録媒体情報」としては、磁気カード７００またはＩＣカード８００である。同図においては、「記録媒体情報」は、磁気カードである。「取り引き有効／無効フラグ」は、当該複数口座における取り引きを有効または無効にするためのフラグであり、有効にする場合、「１」フラグが立てられる一方、無効にする場合、「０」フラグが立てられる。
【００４０】
「ファイル内登録可能口座数」の情報は、顧客情報データベースＤＢにおける一顧客分の１ファイルにおいて記録可能な口座情報の数を示す情報であり、例えば、「３０」口座である。「最終登録口座Ｎｏ．」は、１ファイルにおける複数の口座情報のうち、最終の登録口座情報の番号（たとえば、２）である。「複数口座登録用暗証番号」は、複数の口座に関する取引に対して設定される暗証番号であり、それぞれの口座に個別的に設定された暗証番号とは別に設定される。
【００４１】
マスター口座情報ＪＤ１は、前述したマスター口座情報ＪＭ１（第３図参照）と同様の情報であり、マスター口座に関する情報である。すなわち、マスター口座情報ＪＤ１は、「登録口座Ｎｏ．１」、「ＩＤマーク」、「銀行承認マーク」、「暗証番号」、「銀行コード」、「支店コード」、「口座番号」、「各行任意フィールド」、「予備フィールド」および「有効性コード」を含んでいる。口座情報ＪＤ２も、上述したマスター口座情報ＪＤ１と同種の情報からなる。
【００４２】
ただし、口座情報ＪＤ２は、マスター口座以外の口座に関する情報であり、マスター口座と同一の金融機関（同一金融機関）に開設された口座に関する情報、または上記同一金融機関と異なる他の金融機関（他金融機関）に開設された口座に関する口座情報である。
【００４３】
つぎに、上述した一実施の形態による自動預金支払装置の動作について、第６図に示すフローチャートを参照しつつ説明する。なお、以下においては、自動預金支払装置において行われる取り引き（入出金、振り込み、残高照会、口座登録、口座削除）のうち、口座登録および口座削除を中心にして説明する。
【００４４】
第２図において、自動預金支払装置１００の磁気カード用リーダ／ライタ１０５に磁気カード７００が挿入（またはＩＣカード用リーダ／ライタ１０６にＩＣカード８００が挿入）されると、第６図に示すステップＳ１では、取引業務制御部１０１は、表示部１０３に第７図に示す取引初期画面Ａを表示した後、ステップＳ２へ進む。これにより、表示部１０３には、「預け入れ（入金）」、「引き出し（出金）」、「振り込み」、「残高照会」、「取り引き可能口座登録」および「取り引き可能口座削除」という複数の取り引きを選択するためのメニューボタンが表示される。
【００４５】
ステップＳ２では、取引業務制御部１０１は、上記取引初期画面Ａにおいて、「取り引き可能口座登録」ボタン、または、「取り引き可能口座削除」ボタンが押下されたかを判断する。ここで、顧客により「取り引き可能口座登録」ボタンが押下されると、タッチパネル１０４により、同ボタンの押下が検出されることで、取引業務制御部１０１は、ステップＳ３へ進む。
【００４６】
ステップＳ３では、取引業務制御部１０１は、第８図に示す登録方法選択画面Ｂを表示部１０３に表示する。これにより、表示部１０３には、「登録カード挿入（自動登録）」および「画面による入力（手動登録）」という自動登録による口座の登録または手動登録による口座の登録を選択するための画面が表示される。つぎの、ステップＳ４では、取引業務制御部１０１は、上記登録方法選択画面Ｂおいて、「登録カード挿入（自動登録）」ボタン、または「画面による入力（手動登録）」ボタンが押下されたかを判断する。
【００４７】
ここで、顧客により「画面による入力（手動登録）」ボタンが押下されると、この押下がタッチパネル１０４により検出されることで、取引業務制御部１０１は、ステップＳ５へ進み、第９図に示す金融機関選択画面Ｃを表示部１０３に表示する。これにより、表示部１０３には、「同一金融機関口座」および「他金融機関口座」という、同一金融機関において複数口座を登録するか、または他金融機関において複数口座を登録するかを選択するための画面が表示される。
【００４８】
つぎのステップＳ６では、取引業務制御部１０１は、上記金融機関選択画面Ｃにおいて、「同一金融機関口座」ボタン、または「他金融機関口座」ボタンが押下されたかを判断する。ここで、顧客により「同一金融機関口座」ボタンが押下されると、この押下がタッチパネル１０４により検出されることで、ステップＳ７では、同一金融機関口座登録制御部１０１Ａは第１０図に示す同一金融機関口座情報入力画面Ｄを表示部１０３に表示する。これにより、表示部１０３には金融機関の支店コードを示す「店番」、普通または当座という口座の種別を選択するための「口座種別」、当該口座の「暗証番号」、０〜９までのテンキー入力用の「入力ボタン」、「登録」および「戻る」からなるメニューが表示される。
【００４９】
そして、顧客は、登録すべき同一金融機関における複数口座のうち、マスター口座に関する情報を第１０図に示す同一金融機関口座情報入力画面Ｄを用いて入力する。具体的には、顧客は、同一金融機関口座情報入力画面Ｄにおける「店番」として"１２３４"を「入力ボタン」より入力した後、「口座種別」として「普通」を選択する。さらに、顧客は、「口座番号」として"１２３４５６７８"を「入力ボタン」より入力した後、当該口座の「暗証番号」を「入力ボタン」より入力する。そして、顧客は、マスター口座に関する情報の入力を終了すると、第１０図に示す「登録」ボタンを押下する。
【００５０】
これにより、上記押下がタッチパネル１０４により検出されることで、ステップＳ８では、同一金融機関口座登録制御部１０１Ａは、入力されたマスター口座に関する情報（店番、口座種別、口座番号、暗証番号）を認識した後、ステップＳ９へ進む。ステップＳ９では、同一金融機関口座登録制御部１０１Ａは、表示部１０３に図示しない「確認」ボタンを表示した後、この「確認」ボタンが押下されたか否かを判断する。
【００５１】
この場合、顧客は、二つめの口座として登録すべき口座に関する情報を入力すべく、上記「確認」ボタンを押下しない。したがって、ステップＳ９の判断結果が「Ｎｏ」とされることで、ステップＳ５では、取引業務制御部１０１は、再び、第９図に示す金融機関選択画面Ｃを表示部１０３に表示させた後、ステップＳ６へ進む。
【００５２】
この場合、金融機関選択画面Ｃにおいて「同一金融機関口座」ボタンが押下されると、ステップＳ７では、同一金融機関口座登録制御部１０１Ａは、同一金融機関口座情報入力画面Ｄ（第１０図参照）を表示部１０３に表示する。そして、顧客は、上述した動作と同様にして、同一金融機関における二つめの口座に関する情報を入力した後、「登録」ボタンを押下する。
【００５３】
これにより、ステップＳ８では、同一金融機関口座登録制御部１０１Ａは、入力された二つめの口座に関する情報（店番、口座種別、口座番号、暗証番号）を認識した後、ステップＳ９へ進む。ステップＳ９では、同一金融機関口座登録制御部１０１Ａは、表示部１０３に図示しない「確認」ボタンを表示した後、この「確認」ボタンが押下されたか否かを判断する。そして、顧客により上記「確認」ボタンが押下されると、同一金融機関口座登録制御部１０１Ａは、ステップＳ９の判断結果を「Ｙｅｓ」として、ステップＳ１２へ進む。
【００５４】
ステップＳ１２では、同一金融機関口座登録制御部１０１Ａは、ステップＳ７において入力された一つめのマスター口座に関する口座番号の情報、および二つめの口座に関する口座番号の情報を、通信制御部１０２へ渡す。これにより、通信制御部１０２は、ＬＡＮ４００、ＷＡＮ５００およびＬＡＮ６００を介してホスト端末２００へアクセスすることで、顧客情報データベースＤＢ内から、それぞれの口座の口座名義（氏名）の情報を取得した後、これら情報を同一金融機関口座登録制御部１０１Ａへ渡す。
【００５５】
これにより、ステップＳ１３では、同一金融機関口座登録制御部１０１Ａは、上記取得された二つの口座名義が一致するか否かを判断し、この判断結果が「Ｎｏ」である場合、登録不可として、ステップＳ１へ戻る。すなわち、この場合にあっては、登録すべき複数口座の口座名義が異なるため、口座登録ができない状態にある。
【００５６】
一方、ステップＳ１３の判断結果が「Ｙｅｓ」である場合、同一金融機関口座登録制御部１０１Ａは、ステップＳ１４へ進み、第１２図に示す取り引き可能口座登録一覧表画面Ｆを表示部１０３に表示する。これにより、表示部１０３には、登録すべき複数口座に関する情報（Ｎｏ（登録口座番号）、金融機関名、店番、口座種別、口座番号、名義および備考）が口座毎に表示される。ここで、取り引き可能口座登録一覧表画面Ｆにおいて、Ｎｏ（登録口座番号）が１の口座情報は、「金融機関名」として"ｘｘｘｘｘｘ銀行"、「店番」として"１２３４"、「口座種別」として"普通"、「口座番号」として"１２３４５６７８"、「名義」として"富士通  太郎"、「備考」として"マスター口座"という情報からなる。
【００５７】
一方、Ｎｏ（登録口座番号）が２の口座情報は、「金融機関名」として"xxxxxx銀行"、「店番」として"４５６７"、「口座種別」として"当座"、「口座番号」として"８７６５４３２１"、「名義」として"富士通  太郎"という情報からなる。
【００５８】
また、顧客は、取り引き可能口座登録一覧表画面Ｆに基づいて、同一金融機関において登録すべき複数（この場合、二つ）の口座に関する情報を確認した後、同図に示す「確認」ボタンを押下する。これにより、同一金融機関口座登録制御部１０１Ａは、ステップＳ１５へ進み、第１３図に示す複数口座用暗証番号登録メニュー画面Ｇを表示部１０３に表示した後、ステップＳ１６へ進む。すなわち、複数口座用暗証番号登録メニュー画面Ｇには、複数口座用暗証番号を登録するか否かを選択するための「登録する」ボタン、および「登録しない」ボタンが表示される。
【００５９】
ステップＳ１６では、同一金融機関口座登録制御部１０１Ａは、複数口座用暗証番号登録メニュー画面Ｇにおける「登録する」ボタンが押下されたか否かを判断し、この判断結果が「Ｙｅｓ」である場合、同一金融機関口座登録制御部１０１ＡはステップＳ１７へ進む。一方、複数口座用暗証番号登録メニュー画面Ｇにおける「登録しない」ボタンが押下されると、同一金融機関口座登録制御部１０１Ａは、ステップＳ１６の判断結果を「Ｎｏ」としてステップＳ１８へ進む。
【００６０】
この場合、「登録する」ボタンが押下されたものとすると、ステップＳ１７では、同一金融機関口座登録制御部１０１Ａは、第１４図に示す複数口座用暗証番号入力画面Ｈを表示部１０３に表示する。これにより、表示部１０３には、「暗証番号」の入力欄、および複数口座用暗証番号を入力するための入力ボタン（０〜９）、「登録」ボタン、「戻る」ボタンがそれぞれ表示される。そして、顧客は、上記「入力ボタン」より、４桁の暗証番号を入力した後、「登録」ボタンを押下する。
【００６１】
これにより、ステップＳ１８では、同一金融機関口座登録制御部１０１Ａは、磁気カード７００（第３図参照）（またはＩＣカード８００（第４図参照））において、複数の口座情報に関するデータの書き込みが可能であるか否かを判断する。ここで、この判断方法について、磁気カード７００の場合と、ＩＣカード８００の場合とに分けて説明する。まず、第２図に示す磁気カード７００が磁気カード用リーダ／ライタ１０５に挿入されている場合、同一金融機関口座登録制御部１０１Ａは、磁気カード用リード／ライト制御部１０１Ｄへリード命令をだす。これにより、磁気カード用リード／ライト制御部１０１Ｄは、磁気カード用リーダ／ライタ１０５を制御することで、第３図に示す管理ヘッダ情報ＪＭ０をリードした後、これを同一金融機関口座登録制御部１０１Ａへ渡す。
【００６２】
そして、同一金融機関口座登録制御部１０１Ａは、管理ヘッダ情報ＪＭ０における「磁気ストライプ内登録可能口座数」から「最終登録口座Ｎｏ．」を減算して、登録可能な口座数を求める。つぎに、同一金融機関口座登録制御部１０１Ａは、登録すべき口座数（この場合、２口座）が、上記登録可能な口座数以下である場合、磁気カード７００に対するデータ書き込みが可能であると判断する一方、登録すべき口座数が登録可能な口座数より大きい場合、データ書き込みが不可能であると判断する。
【００６３】
同様にして、ＩＣカード８００がＩＣカード用リーダ／ライタ１０６に挿入されている場合、同一金融機関口座登録制御部１０１Ａは、ＩＣカード用リード／ライト制御部１０１Ｅへリード命令をだす。これにより、ＩＣカード用リード／ライト制御部１０１Ｅは、ＩＣカード用リーダ／ライタ１０６を制御することで、第４図に示す管理ヘッダ情報ＪＩ０をリードした後、これを同一金融機関口座登録制御部１０１Ａへ渡す。
【００６４】
そして、同一金融機関口座登録制御部１０１Ａは、管理ヘッダ情報ＪＩ０における「ＩＣ内登録可能口座数」から「最終登録口座Ｎｏ．」を減算して、登録可能な口座数を求める。つぎに、同一金融機関口座登録制御部１０１Ａは、登録すべき口座数（この場合、２口座）が、上記登録可能な口座数以下である場合、ＩＣカード８００に対するデータ書き込みが可能であると判断する一方、登録すべき口座数が登録可能な口座数より大きい場合、データ書き込みが不可能であると判断する。
【００６５】
この場合、磁気カード７００が磁気カード用リーダ／ライタ１０５に挿入されており、かつ第３図に示す管理ヘッダ情報ＪＭ０における「最終登録口座Ｎｏ．」が０であるものとすると、同一金融機関口座登録制御部１０１Ａは、ステップＳ１８の判断結果を「Ｙｅｓ」として、ステップＳ１９へ進む。ステップＳ１９では、同一金融機関口座登録制御部１０１Ａは、磁気カード用リード／ライト制御部１０１Ｄへ、磁気カード７００の磁気ストライプ７０２へ登録すべき、二つの口座に関する情報を渡す。
【００６６】
そして、磁気カード用リード／ライト制御部１０１Ｄは、磁気カード用リーダ／ライタ１０５をライト制御することで、磁気カード７００の磁気ストライプ７０２の管理ヘッダ情報ＪＭ０、マスター口座情報ＪＭ１および口座情報ＪＭ２へ各情報をライトした後、ステップＳ１へ戻る。これにより、第３図に示す管理ヘッダ情報ＪＭ０の記録領域においては、「最終登録口座Ｎｏ．」として２が記録され、「複数口座登録用暗証番号」として、ステップＳ１７で入力された暗証番号の情報が記録される。また、マスター口座情報ＪＭ１および口座情報ＪＭ２のそれぞれの記録領域においては、ステップＳ８で入力されたマスター口座および２番目の口座に関する情報が記録される。
【００６７】
また、ＩＣカード８００がＩＣカード用リーダ／ライタ１０６に挿入されており、かつ第４図に示す管理ヘッダ情報ＪＩ０における「最終登録口座Ｎｏ．」が０であるものとすると、同一金融機関口座登録制御部１０１Ａは、ステップＳ１８の判断結果を「Ｙｅｓ」として、ステップＳ１９へ進む。ステップＳ１９では、同一金融機関口座登録制御部１０１Ａは、ＩＣカード用リード／ライト制御部１０１Ｅへ、ＩＣカード８００のＩＣ８０２へ登録すべき、二つの口座に関する情報を渡す。
【００６８】
そして、ＩＣカード用リード／ライト制御部１０１Ｅは、ＩＣカード用リーダ／ライタ１０６をライト制御することで、磁気カード７００の場合と同様にして、ＩＣカード８００のＩＣ８０２の管理ヘッダ情報ＪＩ０、マスター口座情報ＪＩ１および口座情報ＪＩ２へ各情報をライトした後、ステップＳ１へ戻る。
【００６９】
一方、ステップＳ１８の判断結果が「Ｎｏ」である場合、言い換えれば、磁気カード７００（ＩＣカード８００）に対してデータ書き込みができない場合、同一金融機関口座登録制御部１０１Ａは、ステップＳ２０へ進み、通信制御部１０２へホスト端末２００へのアクセス要求を出す。これにより、通信制御部１０２は、ＬＡＮ４００、ＷＡＮ５００およびＬＡＮ６００を介して、ホスト端末２００へアクセスすることで、第５図に示す複数口座取引属性情報ＪＤ０における「取り引き有効／無効フラグ」に１を立てることで、顧客情報データベースＤＢを用いた複数口座の取り引きを有効にする。
【００７０】
つぎのステップＳ２１では、同一金融機関口座登録制御部１０１Ａは、通信制御部１０２へ、顧客情報データベースＤＢへ登録すべき、二つの口座に関する情報を渡す。これにより、通信制御部１０２は、ホスト端末２００へアクセスすることで、前述した磁気カード７００およびＩＣカード８００の場合と同様にして、第５図に示す複数口座取引属性情報ＪＤ０、マスター口座情報ＪＤ１および口座情報ＪＤ２へ各情報をライトした後、ステップＳ１へ戻る。これにより、第５図に示す複数口座取引属性情報ＪＤ０の記録領域においては、「記録媒体情報」としてたとえば磁気カードが、「最終登録口座Ｎｏ．」として２が、「複数口座登録用暗証番号」として、ステップＳ１７で入力された暗証番号の情報がそれぞれ記録される。また、マスター口座情報ＪＤ１および口座情報ＪＤ２のそれぞれの記録領域においては、ステップＳ８で入力されたマスター口座および２番目の口座に関する情報が記録される。
【００７１】
以上説明したように、ステップＳ６において、同一金融機関口座登録が選択されると、磁気カード７００（磁気ストライプ７０２）、ＩＣカード８００（ＩＣ８０２）または顧客情報データベースＤＢには、それぞれ同一金融機関における複数の口座情報が登録されるとともに、必要に応じて複数口座用暗証番号が登録される。
【００７２】
つぎに、磁気カード７００（磁気ストライプ７０２）、ＩＣカード８００（ＩＣ８０２）または顧客情報データベースＤＢに他金融機関における複数口座を登録する場合について説明する。
【００７３】
第９図に示す金融機関選択画面Ｃが表示部１０３に表示されている状態において、顧客により、「他金融機関口座」ボタンが押下されると、この押下がタッチパネル１０４により検出されることで、ステップＳ１０では、他金融機関口座登録制御部１０１Ｂは、第１１図に示す他金融機関口座情報入力画面Ｅを表示部１０３に表示する。これにより、表示部１０３には、他金融機関の「金融機関名」、他金融機関の「店番」、普通または当座という口座の種別を選択するための「口座種別」、当該口座の「暗証番号」、０〜９までのテンキー入力用およびカナ入力用の「入力ボタン」、「登録」および「戻る」からなるメニューが表示される。
【００７４】
そして、顧客は、登録すべき他金融機関における複数口座のうち、マスター口座に関する情報を第１１図に示す他金融機関口座情報入力画面Ｅを用いて入力する。具体的には、顧客は、「金融機関名」として"アイウエオ"を「入力ボタン」より入力した後、「店番」として"１２３４"を「入力ボタン」より入力し、「口座種別」として「普通」を選択する。さらに、顧客は、「口座番号」として"１２３４５６７８"を「入力ボタン」より入力した後、当該口座の「暗証番号」を「入力ボタン」より入力する。そして、顧客は、他金融機関におけるマスター口座に関する情報の入力を終了すると、第１１図に示す「登録」ボタンを押下する。
【００７５】
これにより、上記押下がタッチパネル１０４により検出されることで、ステップＳ１１では、他金融機関口座登録制御部１０１Ｂは、入力されたマスター口座に関する情報（金融機関名、店番、口座種別、口座番号、暗証番号）を認識した後、ステップＳ９へ進む。ステップＳ９では、他金融機関口座登録制御部１０１Ｂは、表示部１０３に図示しない「確認」ボタンを表示した後、この「確認」ボタンが押下されたか否かを判断する。
【００７６】
この場合、顧客は、他金融機関における二つめの口座として登録すべき口座に関する情報を入力すべく、上記「確認」ボタンを押下しない。したがって、ステップＳ９の判断結果が「Ｎｏ」とされることで、ステップＳ５では、取引業務制御部１０１は、再び、第９図に示す金融機関選択画面Ｃを表示部１０３に表示させた後、ステップＳ６へ進む。
【００７７】
この場合、金融機関選択画面Ｃにおいて「他金融機関口座」ボタンが押下されると、ステップＳ１０では、他金融機関口座登録制御部１０１Ｂは、他金融機関口座情報入力画面Ｅ（第１１図参照）を表示部１０３に表示する。そして、顧客は、上述した動作と同様にして、他金融機関における二つめの口座に関する情報を入力した後、「登録」ボタンを押下する。
【００７８】
これにより、ステップＳ１１では、他金融機関口座登録制御部１０１Ｂは、入力された二つめの口座に関する情報（金融機関名、店番、口座種別、口座番号、暗証番号）を認識した後、ステップＳ９へ進む。ステップＳ９では、他金融機関口座登録制御部１０１Ｂは、表示部１０３に図示しない「確認」ボタンを表示した後、この「確認」ボタンが押下されたか否かを判断する。そして、顧客により上記「確認」ボタンが押下されると、他金融機関口座登録制御部１０１Ｂは、ステップＳ９の判断結果を「Ｙｅｓ」として、ステップＳ１２へ進む。
【００７９】
ステップＳ１２では、他金融機関口座登録制御部１０１Ｂは、ステップＳ１０において入力された一つめのマスター口座に関する口座番号の情報、および二つめの口座に関する口座番号の情報を、通信制御部１０２へ渡す。これにより、通信制御部１０２は、ＬＡＮ４００、ＷＡＮ５００およびＬＡＮ６００を介してホスト端末２００へアクセスすることで、顧客情報データベースＤＢ内から、それぞれの他金融機関における口座の口座名義（氏名）の情報を取得した後、これら情報を他金融機関口座登録制御部１０１Ｂへ渡す。
【００８０】
これにより、ステップＳ１３では、他金融機関口座登録制御部１０１Ｂは、上記取得された他金融機関における二つの口座名義が一致するか否かを判断し、この判断結果が「Ｎｏ」である場合、登録不可として、ステップＳ１へ戻る。
【００８１】
一方、ステップＳ１３の判断結果が「Ｙｅｓ」である場合、他金融機関口座登録制御部１０１Ｂは、ステップＳ１４へ進み、第１２図に示す取り引き可能口座登録一覧表画面Ｆと同様の画面を表示部１０３に表示する。この場合、他金融機関における複数口座の登録であるため、実際には、第１２図に示すＮｏ１の口座の金融機関名と、Ｎｏ２の金融機関名とが異なる。そして、顧客は、他金融機関において登録すべき複数（この場合、二つ）の口座に関する情報を上記画面に基づいて確認した後、同図に示す「確認」ボタンを押下する。これにより、他金融機関口座登録制御部１０１Ｂは、ステップＳ１５へ進み、前述した動作と同様にして、第１３図に示す複数口座用暗証番号登録メニュー画面Ｇを表示部１０３に表示した後、ステップＳ１６へ進む。
【００８２】
ステップＳ１６では、他金融機関口座登録制御部１０１Ｂは、複数口座用暗証番号登録メニュー画面Ｇにおける「登録する」ボタンが押下されたか否かを判断し、この判断結果が「Ｙｅｓ」である場合、他金融機関口座登録制御部１０１Ｂは、ステップＳ１７へ進む。ステップＳ１７では、他金融機関口座登録制御部１０１Ｂは、第１４図に示す複数口座用暗証番号入力画面Ｈを表示部１０３に表示する。そして、顧客は、上記「入力ボタン」より、４桁の暗証番号を入力した後、「登録」ボタンを押下する。
【００８３】
これにより、ステップＳ１８では、他金融機関口座登録制御部１０１Ｂは、磁気カード７００（第３図参照）（またはＩＣカード８００（第４図参照））において、複数の口座情報に関するデータの書き込みが可能であるか否かを前述した方法により判断する。
【００８４】
この場合、磁気カード７００が磁気カード用リーダ／ライタ１０５に挿入されており、かつ第３図に示す管理ヘッダ情報ＪＭ０における「最終登録口座Ｎｏ．」が０であるものとすると、他金融機関口座登録制御部１０１Ｂは、ステップＳ１８の判断結果を「Ｙｅｓ」として、ステップＳ１９へ進む。ステップＳ１９では、他金融機関口座登録制御部１０１Ｂは、磁気カード用リード／ライト制御部１０１Ｄへ、磁気カード７００の磁気ストライプ７０２へ登録すべき、他金融機関における二つの口座に関する情報を渡す。
【００８５】
そして、磁気カード用リード／ライト制御部１０１Ｄは、磁気カード用リーダ／ライタ１０５をライト制御することで、磁気カード７００の磁気ストライプ７０２の管理ヘッダ情報ＪＭ０、マスター口座情報ＪＭ１および口座情報ＪＭ２へ各情報をライトした後、ステップＳ１へ戻る。これにより、第３図に示す管理ヘッダ情報ＪＭ０の記録領域においては、「最終登録口座Ｎｏ．」として２が記録され、「複数口座登録用暗証番号」として、ステップＳ１７で入力された暗証番号の情報が記録される。また、マスター口座情報ＪＭ１および口座情報ＪＭ２のそれぞれの記録領域においては、ステップＳ１１で入力された他金融機関におけるマスター口座および２番目の口座に関する情報が記録される。
【００８６】
また、ＩＣカード８００がＩＣカード用リーダ／ライタ１０６に挿入されており、かつ第４図に示す管理ヘッダ情報ＪＩ０における「最終登録口座Ｎｏ．」が０であるものとすると、他金融機関口座登録制御部１０１Ｂは、ステップＳ１８の判断結果を「Ｙｅｓ」として、ステップＳ１９へ進む。ステップＳ１９では、他金融機関口座登録制御部１０１Ｂは、ＩＣカード用リード／ライト制御部１０１Ｅへ、ＩＣカード８００のＩＣ８０２へ登録すべき、他金融機関における二つの口座に関する情報を渡す。
【００８７】
そして、ＩＣカード用リード／ライト制御部１０１Ｅは、ＩＣカード用リーダ／ライタ１０６をライト制御することで、磁気カード７００の場合と同様にして、ＩＣカード８００のＩＣ８０２の管理ヘッダ情報ＪＩ０、マスター口座情報ＪＩ１および口座情報ＪＩ２へ各情報をライトした後、ステップＳ１へ戻る。
【００８８】
一方、ステップＳ１８の判断結果が「Ｎｏ」である場合、他金融機関口座登録制御部１０１Ｂは、通信制御部１０２へホスト端末２００へのアクセス要求を出す。これにより、ステップＳ２０において、通信制御部１０２は、前述した動作と同様にして、ホスト端末２００へアクセスすることで、第５図に示す複数口座取引属性情報ＪＤ０における「取り引き有効／無効フラグ」に１を立てる。つぎのステップＳ２１では、他金融機関口座登録制御部１０１Ｂは、通信制御部１０２へ、顧客情報データベースＤＢへ登録すべき、他金融機関における二つの口座に関する情報を渡す。これにより、通信制御部１０２は、ホスト端末２００へアクセスすることで、前述した動作と同様にして、第５図に示す複数口座取引属性情報ＪＤ０、マスター口座情報ＪＤ１および口座情報ＪＤ２へ各情報をライトした後、ステップＳ１へ戻る。これにより、第５図に示す複数口座取引属性情報ＪＤ０の記録領域においては、「記録媒体情報」としてたとえば磁気カードが、「最終登録口座Ｎｏ．」として２が、「複数口座登録用暗証番号」として、ステップＳ１７で入力された暗証番号の情報がそれぞれ記録される。また、マスター口座情報ＪＤ１および口座情報ＪＤ２のそれぞれの記録領域においては、ステップＳ１１で入力された他金融機関におけるマスター口座および２番目の口座に関する情報が記録される。
【００８９】
以上説明したように、ステップＳ６において、他金融機関口座登録が選択されると、磁気カード７００（磁気ストライプ７０２）、ＩＣカード８００（ＩＣ８０２）または顧客情報データベースＤＢには、それぞれ他金融機関における複数の口座情報が登録されるとともに、必要に応じて複数口座用暗証番号が登録される。
【００９０】
また、前述した動作を経て、同一金融機関（または他金融機関）における複数口座の登録が完了すると、一枚のキャッシュカード（磁気カード７００またはＩＣカード８００）を用いて取り引きを行う。具体的には、たとえばキャッシュカードとして磁気カード７００が磁気カード用リーダ／ライタ１０５に挿入されると、表示部１０３には、第７図に示す取引初期画面Ａが表示される。これにより、顧客は、例えば、「引き出し（出金）」ボタンを押下する。これにより、上記押下がタッチパネル１０４により検出されることで、取引業務制御部１０１は、第３図に示す「複数口座用暗証番号」を入力するためのメニュー画面（図示略）を表示部１０３に表示する。
【００９１】
そして、顧客は、上記メニュー画面にしたがって、複数口座用暗証番号を入力する。これにより、取引業務制御部１０１は、磁気カード用リーダ／ライタ１０５および磁気カード用リード／ライト制御部１０１Ｄを経由して第３図に示す登録済みの「複数口座登録用暗証番号」を読み出す。つづいて、取引業務制御部１０１は、読み出した「複数口座登録用暗証番号」と、顧客により入力された複数口座用暗証番号とを照合し、両者が一致するか否かを判断する。
【００９２】
両者が一致した場合、取引業務制御部１０１は当該顧客が正当使用者であるものと判断し、第３図に示すマスター口座情報ＪＭ１および口座情報ＪＭ２のうちいずれの口座に関する取り引きを行うかを選択するためのメニュー画面を表示部１０３に表示し、この選択結果に基づいて当該口座における取り引きを行う。
【００９３】
一方、両者が不一致である場合、取引業務制御部１０１は、再度、複数口座用暗証番号を入力するためのメニュー画面を表示部１０３に表示した後、顧客により入力される複数口座用暗証番号と、第３図に示す「複数口座登録用暗証番号」とを再び照合する。そして、上記照合結果がたとえば３回不一致である場合には、取引業務制御部１０１は、当該顧客が不正使用者であるものと判断し、当該キャッシュカード（この場合、磁気カード７００）の使用を不可とする。
【００９４】
つぎに、前述した手動登録に代えて自動登録する場合の動作について説明する。この場合、登録方法選択画面Ｂ（第８図参照）が表示部１０３に表示されているものとする。この状態でステップＳ４では、取引業務制御部１０１は、上記登録方法選択画面Ｂにおいて、「登録カード挿入（自動登録）」ボタン、または「画面による入力（手動登録）」ボタンが押下されたかを判断する。
【００９５】
ここで、顧客により「登録カード挿入（自動登録）」ボタンが押下された後、複数の登録カードが磁気カード用リーダ／ライタ１０５またはＩＣカード用リーダ／ライタ１０６に順次挿入されると、取引業務制御部１０１は、ステップＳ１２へ進む。ここで、上記複数の登録カードは、登録すべき複数口座に関する口座情報（マスター口座情報ＪＭ１（マスター口座情報ＪＩ１）および口座情報ＪＭ２（口座情報ＪＩ２））がそれぞれ記録されたカードである。そして、上記複数の登録カードにおけるそれぞれの口座情報は、磁気カード用リーダ／ライタ１０５またはＩＣカード用リーダ／ライタ１０６によりリードされる。
【００９６】
ここで、登録カードに基づく複数の口座情報が同一金融機関内における複数口座に関する情報である場合には、同一金融機関口座登録制御部１０１Ａにより、前述したステップＳ１２〜ステップＳ２１の各工程が実行されることで、キャッシュカード（磁気カード７００またはＩＣカード８００）または顧客情報データベースＤＢに同一金融機関における複数口座の情報が記録される。
【００９７】
また、登録カードに基づく複数の口座情報が他金融機関における複数口座に関する情報である場合には、他金融機関口座登録制御部１０１Ｂにより、前述したステップＳ１２〜ステップＳ２１の各工程が実行されることで、キャッシュカード（磁気カード７００またはＩＣカード８００）または顧客情報データベースＤＢに他金融機関における複数口座の情報が記録される。
【００９８】
つぎに、前述したキャッシュカード（磁気カード７００またはＩＣカード８００）、または顧客情報データベースＤＢに登録された複数の口座情報から所望の口座情報を削除する動作について説明する。
【００９９】
第２図において、自動預金支払装置１００の磁気カード用リーダ／ライタ１０５に複数の口座情報が登録された磁気カード７００が挿入（またはＩＣカード用リーダ／ライタ１０６に複数の口座情報が登録されたＩＣカード８００が挿入）されると、第６図に示すステップＳ１では、取引業務制御部１０１は、表示部１０３に第１５図に示す取引初期画面Ａを表示した後、ステップＳ２へ進む。これにより、表示部１０３には「預け入れ（入金）」、「引き出し（出金）」、「振り込み」、「残高照会」、「取り引き可能口座登録」および「取り引き可能口座削除」という複数の取り引きを選択するためのメニューボタンが表示される。
【０１００】
ステップＳ２では、取引業務制御部１０１は、上記取引初期画面Ａにおいて、「取り引き可能口座登録」ボタン、または「取り引き可能口座削除」ボタンが押下されたかを判断する。ここで、顧客により「取り引き可能口座削除」ボタンが押下されると、タッチパネル１０４により、同ボタンの押下が検出される。
【０１０１】
これにより、ステップＳ２２では、口座削除制御部１０１Ｃは、磁気カード用リード／ライト制御部１０１Ｄ（またはＩＣカード用リード／ライト制御部１０１Ｅ）を制御することで、磁気カード７００（またはＩＣカード８００）に登録されている複数の口座情報をリードする。さらに、口座削除制御部１０１Ｃは、通信制御部１０２を制御することにより、顧客情報データベースＤＢへアクセスすることで、磁気カード７００（またはＩＣカード８００）に登録されている複数の口座情報以外に、当該顧客に関する口座情報がある場合、この口座情報を顧客情報データベースＤＢからリードする。
【０１０２】
つぎに、口座削除制御部１０１Ｃは、上記リードした複数の口座情報からなる、第１６図に示す「取り引き可能口座登録一覧表」を含む口座削除画面Ｉを表示部１０３に表示させる。これにより、表示部１０３には、「取り引き可能口座登録一覧表」、削除すべき登録口座Ｎｏの項目、削除すべき口座の「暗証番号」および、上記登録口座Ｎｏおよび暗証番号を入力するための「入力ボタン」、「確認」ボタンおよび「キャンセル」ボタンがそれぞれ表示される。
【０１０３】
そして、顧客は、上記「取り引き可能口座登録一覧表」の中から削除すべき登録口座番号（Ｎｏ）を「入力ボタン」を用いて入力する。ただし、登録口座番号（Ｎｏ）が１であるマスター口座は削除ができないようになっている。この場合、顧客により、削除すべき登録口座番号（Ｎｏ）として２が、当該口座の「暗証番号」として、４桁の数字がそれぞれ「入力ボタン」より入力されると、ステップＳ２３では、口座削除制御部１０１Ｃは、上記入力情報を認識した後、ステップＳ２４へ進む。ステップＳ２４では、口座削除制御部１０１Ｃは、第１６図に示す「確認」ボタンが押下されたか否かが判断され、同判断結果が「Ｎｏ」である場合、ステップＳ１へ戻る。
【０１０４】
ここで、上記「確認」ボタンが押下されると、口座削除制御部１０１Ｃは、ステップＳ２４の判断結果を「Ｙｅｓ」として、ステップＳ２５へ進む。ステップＳ２５では、口座削除制御部１０１Ｃは、ステップＳ２３において顧客により指定された削除すべき登録口座のデータが、磁気カード７００またはＩＣカード８００に登録されているか否かを判断する。
【０１０５】
この場合、上記削除すべき登録口座の情報が磁気カード７００（またはＩＣカード８００）に登録された情報であるとすると、口座削除制御部１０１Ｃは、ステップＳ２５の判断結果を「Ｙｅｓ」として、ステップＳ２６へ進む。ステップＳ２６では、口座削除制御部１０１Ｃは、磁気カード用リード／ライト制御部１０１Ｄ（またはＩＣカード用リード／ライト制御部１０１Ｅ）を制御することで、磁気カード７００（またはＩＣカード８００）に登録されている、削除すべき登録口座のデータを削除した後、ステップＳ２７へ進む。
【０１０６】
ステップＳ２７では、口座削除制御部１０１Ｃは、第１６図に示す「取り引き可能口座登録一覧表」から当該口座の情報が削除されたことを確認するための口座削除確認画面Ｊ（第１７図参照）を表示部１０３に表示した後、顧客により「確認」ボタンが押下されるとステップＳ１へ戻る。これにより、顧客は、上記口座削除確認画面Ｊを目視確認することで、登録口座番号が２の口座情報が削除されたことを認識する。
【０１０７】
一方、ステップＳ２５の判断結果が「Ｎｏ」である場合、言い換えれば、削除すべき登録口座情報が顧客情報データベースＤＢに登録されている場合、口座削除制御部１０１Ｃは、ステップＳ２８へ進む。ステップＳ２８では、口座削除制御部１０１Ｃは、通信制御部１０２を制御することで、顧客情報データベースＤＢにアクセスした後、顧客情報データベースＤＢから当該口座のデータを削除した後、ステップＳ２９へ進む。ステップＳ２９では、口座削除制御部１０１Ｃは、削除後の顧客情報データベースＤＢに複数の登録口座情報があるか否かを判断し、この判断結果が「Ｎｏ」である場合、ステップＳ３０へ進む。
【０１０８】
ステップＳ３０では、顧客情報データベースＤＢにおける「取り引き有効／無効フラグ」に０を立てて、複数口座取り引きを無効にした後、ステップＳ２７へ進む。ステップＳ２７では、前述した動作と同様にして、口座削除制御部１０１Ｃは、第１６図に示す「取り引き可能口座登録一覧表」から当該口座の情報が削除されたことを確認するための口座削除確認画面Ｊ（第１７図参照）を表示部１０３に表示した後、顧客による「確認」ボタンが押下されるとステップＳ１へ戻る。一方、ステップＳ２９の判断結果が「Ｙｅｓ」である場合、口座削除制御部１０１Ｃは、ステップＳ２７へ進み口座削除確認画面Ｊを表示した後、ステップＳ１へ戻る。
【０１０９】
以上説明したように、上述した一実施の形態によれば、同一金融機関口座登録制御部１０１Ａを設けて、顧客のオペレーションにより、１枚のキャッシュカード（磁気カード７００またはＩＣカード８００）、顧客情報データベースＤＢに対して同一金融機関における複数の口座情報を登録できるようにしたので、利便性が向上する。
【０１１０】
さらに、上述した一実施の形態によれば、他金融機関口座登録制御部１０１Ｂを設けたことにより、同一金融機関のみならず、他金融機関における複数の口座情報も１枚のキャッシュカード（磁気カード７００またはＩＣカード８００）に登録できるため、利便性がさらに向上するとともに、顧客に対するサービスが向上する。
【０１１１】
また、上述した一実施の形態によれば、口座削除制御部１０１Ｃを設けて、上記登録に加えて、登録された複数の口座情報から顧客により指定された当該口座情報を削除できるようにしたので、さらに利便性が向上する。
【０１１２】
また、上述した一実施の形態によれば、キャッシュカード（磁気カード７００またはＩＣカード８００）の記録容量が不足している場合であっても、顧客情報データベースＤＢに口座情報を登録するようにしたので、登録すべき口座情報が非常に多い場合であっても、１枚のキャッシュカードに登録可能であるという利便性が失われることがない。
【０１１３】
加えて、上述した一実施の形態によれば、口座毎の暗証番号とは別に複数の口座に共通な複数口座登録用暗証番号をキャッシュカード（磁気カード７００またはＩＣカード８００）、顧客情報データベースＤＢに登録するようにしたので、セキュリティが向上する。
【０１１４】
以上本発明の一実施の形態について図面を参照して詳述してきたが、具体的な構成例はこの一実施の形態に限られるものではなく、本発明の要旨を逸脱しない範囲の設計変更等があっても本発明に含まれる。たとえば、上述した一実施の形態においては、手動による複数口座の登録時にマスター口座に関する口座情報を入力する例について説明したが、複数の口座情報を登録するキャッシュカード（磁気カード７００またはＩＣカード８００）に予めマスター口座に関する口座情報が登録されている場合には、このマスター口座に関する口座情報を入力する必要がない。
【０１１５】
以上のように、本発明によれば、顧客側において、１枚のキャッシュカードに対して登録すべき複数の口座情報を登録できるようにしたので、利便性が向上するという効果を奏する。
【０１１６】
また、本発明によれば、同一金融機関のみならず他金融機関における複数の口座情報も１枚のキャッシュカードに登録できるため、利便性がさらに向上するとともに、顧客に対するサービスが向上するという効果を奏する。
【０１１７】
また、本発明によれば、削除制御手段を設けたことにより、顧客側において登録に加えて、口座情報の削除も行えるため、さらに利便性が向上するという効果を奏する。
【０１１８】
また、本発明によれば、キャッシュカードに全ての複数の口座情報が登録できない場合、登録制御手段により、登録できない口座情報を記憶手段に登録するようにしたので、登録すべき口座情報が非常に多い場合であっても、１枚のキャッシュカードに登録可能であるという利便性が失われることがないという効果を奏する。
【０１１９】
また、本発明によれば、顧客により、メニュー画面より削除すべき口座情報が入力されると、削除制御手段は、キャッシュカードまたは記憶手段に登録された複数の口座情報のなかから上記顧客により指定された口座情報を削除するようにしたので、口座情報の削除が顧客側で行えるため、利便性が向上するという効果を奏する。
【０１２０】
また、本発明によれば、複数の口座情報に共通な複数口座用暗証番号を登録し、この複数口座用暗証番号に基づいて取り引きを行うようにしたので、セキュリティが向上するという効果を奏する。
【０１２１】
また、本発明によれば、顧客により、メニュー画面より削除すべき口座情報が入力されると、削除制御手段は、キャッシュカードに登録された複数の口座情報のなかから上記顧客により指定された口座情報を削除するようにしたので、口座情報の削除が顧客側で行えるため、利便性が向上するという効果を奏する。
【０１２２】
【産業上の利用可能性】
以上のように、本発明にかかる自動預金支払装置は、キャッシュカードを用いた金融機関における取り引きに対して有用である。
【図面の簡単な説明】
【図１】  第１図は、本発明の一実施の形態による自動預金支払装置のシステム構成を示す図である。
【図２】  第２図は、一実施の形態による自動預金支払装置の構成を示すブロック図である。
【図３】  第３図は、磁気カードのデータ構造を示す図である。
【図４】  第４図は、ＩＣカードのデータ構造を示す図である。
【図５】  第５図は、顧客情報データベースＤＢのデータ構造を示す図である。
【図６】  第６図は、一実施の形態による自動預金支払装置の動作を説明するフローチャートである。
【図７】  第７図は、一実施の形態による自動預金支払装置における取引初期画面Ａを示す図である。
【図８】  第８図は、一実施の形態による自動預金支払装置における登録方法選択画面Ｂを示す図である。
【図９】  第９図は、一実施の形態による自動預金支払装置における金融機関選択画面Ｃを示す図である。
【図１０】  第１０図は、一実施の形態による自動預金支払装置における同一金融機関口座情報入力画面Ｄを示す図である。
【図１１】  第１１図は、一実施の形態による自動預金支払装置における他金融機関口座情報入力画面Ｅを示す図である。
【図１２】  第１２図は、一実施の形態による自動預金支払装置における取り引き可能口座登録一覧表画面Ｆを示す図である。
【図１３】  第１３図は、一実施の形態による自動預金支払装置における複数口座用暗証番号登録メニュー画面Ｇを示す図である。
【図１４】  第１４図は、一実施の形態による自動預金支払装置における複数口座用暗証番号入力画面Ｈを示す図である。
【図１５】  第１５図は、一実施の形態による自動預金支払装置における取引初期画面Ａを示す図である。
【図１６】  第１６図は、一実施の形態による自動預金支払装置における口座削除画面Ｉを示す図である。
【図１７】  第１７図は、一実施の形態による自動預金支払装置における口座削除確認画面Ｊを示す図である。
【図１】
0004342736.tif 000002
【図２】
0004342736.tif 000003
【図３】
0004342736.tif 000004
【図４】
0004342736.tif 000005
【図５】
0004342736.tif 000006
【図６】
0004342736.tif 000007
【図７】
0004342736.tif 000008
【図８】
0004342736.tif 000009
【図９】
0004342736.tif 000010
【図１０】
0004342736.tif 000011
【図１１】
0004342736.tif 000012
【図１２】
0004342736.tif 000013
【図１３】
0004342736.tif 000014
【図１４】
0004342736.tif 000015
【図１５】
0004342736.tif 000016
【図１６】
0004342736.tif 000017
【図１７】
0004342736.tif 000018